【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
操作情報を夫々入力する複数の操作キーと、
前記入力された複数の操作情報をキーマクロとして登録するキーマクロ登録手段と、
前記登録されたキーマクロに応じた処理を実行する前に、該処理が実行可能であるか否かを検出する検出手段とを備えることを特徴とする画像形成装置。
【請求項２】
更に、前記登録されたキーマクロに対応する操作キーを表示する表示部を備え、
前記表示部は、前記登録されたキーマクロに応じた処理が実行不可能であるときは、前記処理が実行不可能なキーマクロに対応する操作キーの表示を変更することを特徴とする請求項１記載の画像形成装置。
【請求項３】
前記表示部は、処理が実行不可能なキーマクロが、簡易に解消可能な原因で実行不可能である場合、当該キーマクロに対応する操作キーの表示を変更することを特徴とする請求項２記載の画像形成装置。
【請求項４】
前記表示部は、更に、前記登録されたキーマクロが実行不可能である理由を表示することを特徴とする請求項２又は３記載の画像形成装置。
【請求項５】
操作情報を夫々入力する複数の操作キーによって入力された複数の操作情報をキーマクロとして登録するキーマクロ登録ステップと、
前記登録されたキーマクロに応じた処理を実行する前に、該処理が実行可能であるか否かを検出する検出ステップとを備えることを特徴とする画像形成装置の制御方法。
【請求項６】
更に、前記登録されたキーマクロに対応する操作キーを表示する表示ステップを備え、
前記表示ステップは、前記登録されたキーマクロに応じた処理が実行不可能であるときは、前記処理が実行不可能なキーマクロに対応する操作キーの表示を変更することを特徴とする請求項５記載の画像形成装置の制御方法。
【請求項７】
前記表示ステップは、処理が実行不可能なキーマクロが、簡易に解消可能な原因で実行不可能である場合、当該キーマクロに対応する操作キーの表示を変更することを特徴とする請求項６記載の画像形成装置の制御方法。
【請求項８】
前記表示ステップは、更に、前記登録されたキーマクロが実行不可能である理由を表示することを特徴とする請求項６又は７記載の画像形成装置の制御方法。
【請求項９】
操作情報を夫々入力する複数の操作キーによって入力された複数の操作情報をキーマクロとして登録するキーマクロ登録モジュールと、
前記登録されたキーマクロに応じた処理を実行する前に、該処理が実行可能であるか否かを検出する検出モジュールとを備えることを特徴とする、画像形成装置の制御方法を実行するためのプログラム。
【請求項１０】
請求項９記載のプログラムを格納するコンピュータ読取り可能な記憶媒体。
【手続補正２】
【補正対象書類名】明細書
【補正対象項目名】０００９
【補正方法】変更
【補正の内容】
【０００９】
上記目的を達成するために、請求項１記載の画像形成装置は、操作情報を夫々入力する複数の操作キーと、前記入力された複数の操作情報をキーマクロとして登録するキーマクロ登録手段と、前記登録されたキーマクロに応じた処理を実行する前に、該処理が実行可能であるか否かを検出する検出手段とを備えることを特徴とする。
【手続補正３】
【補正対象書類名】明細書
【補正対象項目名】００１０
【補正方法】変更
【補正の内容】
【００１０】
請求項２記載の画像形成装置は、請求項１記載の画像形成措置において、更に、前記登録されたキーマクロに対応する操作キーを表示する表示部を備え、前記表示部は、前記登録されたキーマクロに応じた処理が実行不可能であるときは、前記処理が実行不可能なキーマクロに対応する操作キーの表示を変更することを特徴とする。
【手続補正４】
【補正対象書類名】明細書
【補正対象項目名】００１１
【補正方法】変更
【補正の内容】
【００１１】
請求項３記載の画像形成装置は、請求項２記載の画像形成措置において、前記表示部は、処理が実行不可能なキーマクロが、簡易に解消可能な原因で実行不可能である場合、当該キーマクロに対応する操作キーの表示を変更することを特徴とする。
【手続補正５】
【補正対象書類名】明細書
【補正対象項目名】００１２
【補正方法】変更
【補正の内容】
【００１２】
請求項４記載の画像形成装置は、請求項２又は３記載の画像形成措置において、前記表示部は、更に、前記登録されたキーマクロが実行不可能である理由を表示することを特徴とする。
【手続補正６】
【補正対象書類名】明細書
【補正対象項目名】００１３
【補正方法】変更
【補正の内容】
【００１３】
上記目的を達成するために、請求項５記載の制御方法は、操作情報を夫々入力する複数の操作キーによって入力された複数の操作情報をキーマクロとして登録するキーマクロ登録ステップと、前記登録されたキーマクロに応じた処理を実行する前に、該処理が実行可能であるか否かを検出する検出ステップとを備えることを特徴とする。
【手続補正７】
【補正対象書類名】明細書
【補正対象項目名】００１４
【補正方法】変更
【補正の内容】
【００１４】
請求項６記載の制御方法は、請求項５記載の制御方法において、更に、前記登録されたキーマクロに対応する操作キーを表示する表示ステップを備え、前記表示ステップは、前記登録されたキーマクロに応じた処理が実行不可能であるときは、前記処理が実行不可能なキーマクロに対応する操作キーの表示を変更することを特徴とする。
【手続補正８】
【補正対象書類名】明細書
【補正対象項目名】００１５
【補正方法】変更
【補正の内容】
【００１５】
請求項７記載の制御方法は、請求項６記載の制御方法において、前記表示ステップは、処理が実行不可能なキーマクロが、簡易に解消可能な原因で実行不可能である場合、当該キーマクロに対応する操作キーの表示を変更することを特徴とする。
【手続補正９】
【補正対象書類名】明細書
【補正対象項目名】００１６
【補正方法】変更
【補正の内容】
【００１６】
請求項８記載の制御方法は、請求項６又は７記載の制御方法において、前記表示ステップは、更に、前記登録されたキーマクロが実行不可能である理由を表示することを特徴とする。
【手続補正１０】
【補正対象書類名】明細書
【補正対象項目名】００１７
【補正方法】変更
【補正の内容】
【００１７】
上記目的を達成するために、請求項９記載のプログラムは、操作情報を夫々入力する複数の操作キーによって入力された複数の操作情報をキーマクロとして登録するキーマクロ登録モジュールと、前記登録されたキーマクロに応じた処理を実行する前に、該処理が実行可能であるか否かを検出する検出モジュールとを備えることを特徴とする。
【手続補正１１】
【補正対象書類名】明細書
【補正対象項目名】００１８
【補正方法】変更
【補正の内容】
【００１８】
上記目的を達成するために、請求項１０記載の記憶媒体は、請求項９記載のプログラムを格納する。
【手続補正１２】
【補正対象書類名】明細書
【補正対象項目名】００１９
【補正方法】変更
【補正の内容】
【００１９】
請求項１記載の画像形成装置、請求項５記載の制御方法、並びに請求項９記載のプログラム及び請求項１０記載の記憶媒体によれば、登録されたキーマクロに応じた処理を実行する前に、処理が実行可能であるか否かを検出するので、エラーの発生を回避することができ、もってキーマクロ機能の利便性を向上させることができる。
【手続補正１３】
【補正対象書類名】明細書
【補正対象項目名】００２０
【補正方法】変更
【補正の内容】
【００２０】
請求項２記載の画像形成装置及び請求項６記載の制御方法によれば、表示部は、登録されたキーマクロに応じた処理が実行不可能であるときは、処理が実行不可能なキーマクロに対応する操作キーの表示を変更するので、使用者に実行不可能なキーマクロを予め分かりやく伝えることができ、もってキーマクロ機能の利便性をより向上させることができる。
【手続補正１４】
【補正対象書類名】明細書
【補正対象項目名】００２１
【補正方法】変更
【補正の内容】
【００２１】
請求項３記載の画像形成装置及び請求項７記載の制御方法によれば、処理が実行不可能なキーマクロが、簡易に解消可能な原因で実行不可能である場合、キーマクロに対応する操作キーの表示を変更するので、使用者に実行不可能なキーマクロの実行不可能な理由を分かりやすく伝えることができ、もってキーマクロ機能の利便性をさらに向上させることができる。
【手続補正１５】
【補正対象書類名】明細書
【補正対象項目名】００２２
【補正方法】変更
【補正の内容】
【００２２】
請求項４記載の画像形成装置及び請求項８記載の制御方法によれば、登録されたキーマクロが実行不可能である理由を表示するので、キーマクロ機能の利便性をさらに一層向上させることができる。
【手続補正１６】
【補正対象書類名】図面
【補正対象項目名】図３
【補正方法】変更
【補正の内容】
【図３】
2006059274.tif 000001